【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
放送波により、一定周期ごとに繰り返し送出されるファームウェアをダウンロード可能なデジタル放送受信装置であって、
ファームウェアの送出に先だって得られた、ファームウェアの送出スケジュールを出力するＤＬ処理制御部と、
前記ＤＬ処理制御部から出力された前記送出スケジュールから、ファームウェアの送出が開始される時刻である送出開始予定時刻とファームウェアの送出が継続する時間である送出予定時間とファームウェアの容量情報とを抽出し、該送出開始予定時刻と送出予定時間と容量情報とから、ファームウェアの各送出に対するダウンロードの開始時刻である繰り返しＤＬ時刻を導出する繰り返しＤＬ時刻導出部と、
番組表画面に、前記繰り返しＤＬ時刻導出部によって導出された各繰り返しＤＬ時刻に対応する、それぞれユーザの操作により選択可能な画面要素である選択可能領域を合成したダウンロード時刻選択画面を生成する生成部と、を備え、
前記ＤＬ処理制御部は、前記生成部で生成されたダウンロード時刻選択画面に表示された各選択可能領域のいずれかを選択するユーザの指示入力を受け、選択された選択可能領域に対応する繰り返しＤＬ時刻にファームウェアのダウンロードを実行することを特徴とするデジタル放送受信装置。
【請求項２】
前記生成部は、ダウンロード時刻選択画面に表示された各選択可能領域のいずれかが選択された場合に、選択された選択可能領域に対応する繰り返しＤＬ時刻を含む時間帯における全局の番組情報一覧画面を生成すること特徴とする請求項１に記載のデジタル放送受信装置。
【請求項３】
ユーザによって予約された番組視聴または番組録画が開始される時刻である予約開始時刻と、該予約された番組視聴または番組録画が継続される時間である予約継続時間とを出力する視聴録画予約部をさらに備え、
前記ＤＬ処理制御部が、前記視聴録画予約部によって出力された前記予約開始時刻及び予約継続時間と、前記繰り返しＤＬ時刻と、前記ファームウェアの１回のダウンロードに必要な時間とを用いて、ユーザにより予約された番組視聴または番組録画と重ならない繰り返しＤＬ時刻を選択し、該選択した繰り返しＤＬ時刻にファームウェアのダウンロードを実行することを特徴とする請求項１に記載のデジタル放送受信装置。
【請求項４】
放送波により、一定周期ごとに繰り返し送出されるファームウェアをダウンロード可能なデジタル放送受信装置の制御方法であって、
ファームウェアの送出スケジュールをファームウェアの送出に先だって取得する送出スケジュール取得工程と、
前記送出スケジュール取得工程において取得された前記送出スケジュールから、ファームウェアの送出が開始される時刻である送出開始予定時刻とファームウェアの送出が継続する時間である送出予定時間とファームウェアの容量情報とを抽出し、該送出開始予定時刻と送出予定時間と容量情報とから、ファームウェアの各送出に対するダウンロードの開始時刻である繰り返しＤＬ時刻を導出する繰り返しＤＬ時刻導出工程と、
番組表画面に、前記繰り返しＤＬ時刻導出工程において算出された各繰り返しＤＬ時刻に対応する、それぞれユーザの操作により選択可能な画面要素である選択可能領域を合成したダウンロード時刻選択画面を生成する生成工程と、
前記生成工程で生成されたダウンロード時刻選択画面に表示された各選択可能領域のいずれかを選択するユーザの指示入力を受け、選択された選択可能領域に対応する繰り返しＤＬ時刻にファームウェアのダウンロードを実行する制御工程と、
を有することを特徴とするデジタル放送受信装置の制御方法。
【請求項５】
前記生成工程は、ダウンロード時刻選択画面に表示された各選択可能領域のいずれかが選択された場合に、選択された選択可能領域に対応する繰り返しＤＬ時刻を含む時間帯における全局の番組情報一覧画面を生成する
ことを特徴とする請求項４に記載のデジタル放送受信装置の制御方法。
【請求項６】
ユーザによって予約された番組視聴または番組録画が開始される時刻である予約開始時刻と、該予約された番組視聴または番組録画が継続される時間である予約継続時間と、を取得する視聴録画予約取得工程を有し、
前記制御工程は、前記視聴録画予約取得工程において取得した前記予約開始時刻及び予約継続時間と、前記繰り返しＤＬ時刻と、前記ファームウェアの１回のダウンロードに必要な時間とを用いて、ユーザにより予約された番組視聴または番組録画と重ならない繰り返しＤＬ時刻を選択し、該選択した繰り返しＤＬ時刻にファームウェアのダウンロードを実行することを特徴とする請求項４に記載のデジタル放送受信装置の制御方法。
【手続補正２】
【補正対象書類名】明細書
【補正対象項目名】００１０
【補正方法】変更
【補正の内容】
【００１０】
本発明に係るデジタル放送受信装置は、放送波により、一定周期ごとに繰り返し送出されるファームウェアをダウンロード可能なデジタル放送受信装置であって、
ファームウェアの送出に先だって得られたファームウェアの送出スケジュールを出力するＤＬ処理制御部と、
前記ＤＬ処理制御部から出力された前記送出スケジュールから、ファームウェアの送出が開始される時刻である送出開始予定時刻とファームウェアの送出が継続する時間である送出予定時間とファームウェアの容量情報とを抽出し、該送出開始予定時刻と送出予定時間と容量情報とから、ファームウェアの各送出に対するダウンロードの開始時刻である繰り返しＤＬ時刻を導出する繰り返しＤＬ時刻導出部と、
番組表画面に、前記繰り返しＤＬ時刻導出部によって導出された各繰り返しＤＬ時刻に対応する、それぞれユーザの操作により選択可能な画面要素である選択可能領域を合成し
たダウンロード時刻選択画面を生成する生成部と、を備え、
前記ＤＬ処理制御部は、前記生成部で生成されたダウンロード時刻選択画面に表示された各選択可能領域のいずれかを選択するユーザの指示入力を受け、選択された選択可能領域に対応する繰り返しＤＬ時刻にファームウェアのダウンロードを実行することを特徴とする。
【手続補正３】
【補正対象書類名】明細書
【補正対象項目名】００１１
【補正方法】変更
【補正の内容】
【００１１】
また、本発明に係るデジタル放送受信装置の制御方法は、放送波により、一定周期ごとに繰り返し送出されるファームウェアをダウンロード可能なデジタル放送受信装置の制御方法であって、
ファームウェアの送出スケジュールをファームウェアの送出に先だって取得する送出スケジュール取得工程と、
前記送出スケジュール取得工程において取得された前記送出スケジュールから、ファームウェアの送出が開始される時刻である送出開始予定時刻とファームウェアの送出が継続する時間である送出予定時間とファームウェアの容量情報とを抽出し、該送出開始予定時刻と送出予定時間と容量情報とから、ファームウェアの各送出に対するダウンロードの開始時刻である繰り返しＤＬ時刻を導出する繰り返しＤＬ時刻導出工程と、
番組表画面に、前記繰り返しＤＬ時刻導出工程において算出された各繰り返しＤＬ時刻に対応する、それぞれユーザの操作により選択可能な画面要素である選択可能領域を合成したダウンロード時刻選択画面を生成する生成工程と、
前記生成工程で生成されたダウンロード時刻選択画面に表示された各選択可能領域のいずれかを選択するユーザの指示入力を受け、選択された選択可能領域に対応する繰り返しＤＬ時刻にファームウェアのダウンロードを実行する制御工程と、
を有することを特徴とする。
【手続補正４】
【補正対象書類名】明細書
【補正対象項目名】００２０
【補正方法】変更
【補正の内容】
【００２０】
視聴録画予約部３０８は、リモコンコード受信・解釈部３１２からの入力により、チューナ部３０１へ特定の周波数のチューニング指示を出力する。そして、映像デコード部３０５及び番組表作成部３０６からの入力をデータ蓄積部３１１に出力する。また、ＤＬ処理制御部３０９に対して、視聴録画実行中であることを通知する。さらに、視聴録画予約部３０８は、ユーザによる番組視聴予約や番組録画予約による、番組視聴または番組録画の開始時刻（予約開始時刻）と実施時間（予約継続時間）をＤＬ処理制御部３０９に出力する。
【手続補正５】
【補正対象書類名】明細書
【補正対象項目名】００２６
【補正方法】変更
【補正の内容】
【００２６】
本フローが実行されると、Ｓ４０１において、ＤＬ処理制御部３０９は、ＴＳデマックス部３０２よりファームウェアの送出スケジュールをファームウェアの送出に先だって取得する。Ｓ４０１の処理が終了するとＳ４０２に進む。
【手続補正６】
【補正対象書類名】明細書
【補正対象項目名】００２８
【補正方法】変更
【補正の内容】
【００２８】
Ｓ４０４においては、ＤＬ処理制御部３０９は、繰り返しＤＬ時刻導出部３１４にファームウェアの繰り返しＤＬ時刻を算出するように依頼する。Ｓ４０４の処理が終了するとＳ４０５に進む。
【手続補正７】
【補正対象書類名】明細書
【補正対象項目名】００３０
【補正方法】変更
【補正の内容】
【００３０】
なお、Ｓ４０５において、ＤＬ提示画面を番組表と合成し、ユーザに提示する処理は、ダウンロードの開始時刻の候補の中からユーザにダウンロードの開始時刻を選択させる処理を行っている。これはまた、各繰り返しＤＬ時刻をダウンロードの開始時期の候補に用いて、前記ファームウェアのダウンロードのスケジューリングをユーザに促す処理を行っている。本処理が終了するとＳ４０６に進む。
【手続補正８】
【補正対象書類名】明細書
【補正対象項目名】００６２
【補正方法】変更
【補正の内容】
【００６２】
本フローが実行されると、Ｓ１１１０において、ＤＬ処理制御部９０９は、ＴＳデマックス部９０２よりファームウェアの送出スケジュールを取得する。Ｓ１１１０の処理が終了するとＳ１１１１に進む。Ｓ１１１１においては、ＤＬ処理制御部９０９が、Ｓ１１１０で取得した送出スケジュールに記述されているメーカＩＤとモデルＩＤとを解析する。Ｓ１１１１の処理が終了するとＳ１１１２に進む。
【手続補正９】
【補正対象書類名】明細書
【補正対象項目名】００６４
【補正方法】変更
【補正の内容】
【００６４】
Ｓ１１１３においては、ＤＬ処理制御部９０９は、繰り返しＤＬ時刻導出部９１３に繰り返しＤＬ時刻を算出するように依頼する。Ｓ１１１３の処理が終了するとＳ１１１４に進む。
【手続補正１０】
【補正対象書類名】明細書
【補正対象項目名】００６９
【補正方法】変更
【補正の内容】
【００６９】
なお、Ｓ１１１４−Ｓ１１１８の処理は、ユーザにより予約された番組視聴または番組録画と、前記ファームウェアのダウンロードとが重ならないように、ダウンロードのスケジューリングを行っている。また、各繰り返しＤＬ時刻をダウンロードの開始時期の候補に用いて、前記ファームウェアのダウンロードのスケジューリングを実行している。また、本実施例におけるスケジューリング工程は、Ｓ１１１４−Ｓ１１１８の処理を含んで構成される。Ｓ１１１８の処理が終了するとＳ１１１９に進む。一方、ファームウェアを１回分ダウンロードする時間が残されていなかった場合は、ファームウェアのダウンロードは行わない。